(57)【要約】【課題】  身体の排泄部の周囲に密着し、排泄物を開口部から袋体内に確実に導くことができる排泄物収容製品を得る。【解決手段】  撥水性の外装シート３で袋体２が形成され、袋体２の対向底部５の内面に液吸収体８が設けられている。袋体２には身体に向く収容口７が形成され、収容口７の周縁部にはクッション体１５および袋体２の内部に向かって延びる壁本体１１から成る弾性壁１１１が設けられている。前記壁本体１１の弾性力によってクッション体１５が股間部２１に密着させられるとともに、前記壁本体１１によって袋体２の内部に空間が保たれる。よって、収容口７に与えられる尿などが袋体２の内部に確実に収容される。【選択図】図４
2005160834.tif 000002
【特許請求の範囲】
【請求項１】
開口部を有する袋体と、前記袋体の内部に設置された液吸収体とを有する排泄物収容製品において、
前記開口部の周縁部から袋体の内方に向かって延びる弾性変形可能な弾性壁が設けられていることを特徴とする排泄物収容製品。
【請求項２】
前記弾性壁は、その縦方向および横方向の開き寸法が、袋体の内部に向うにしたがって徐々に広くなる形状である請求項１記載の排泄物収容製品。
【請求項３】
前記弾性壁の肌側に向く頂部は、縦方向の開口寸法が横方向の開口寸法よりも大きい縦長形状であり、前記頂部の縦方向に向く前端部と後端部が、その中間部よりも肌側に突出している請求項１または２記載の排泄物収容製品。
【請求項４】
前記袋体は、前記弾性壁に対向する対向底部を有しており、前記中間部での対向底部からの高さ寸法が、前記前後端部での対向底部からの高さ寸法の０．８倍以下で０．２倍以上である請求項３記載の排泄物収容製品。
【請求項５】
前記高さ寸法の最小値は１０ｍｍであり、最大値は１００ｍｍである請求項４記載の排泄物収容製品。
【請求項６】
前記弾性壁の肌側に向く頂部は、クッション体により形成されている請求項１ないし５のいずれかに記載の排泄物収容製品。
【請求項７】
前記クッション体に力を与え、また前記弾性壁の壁本体に対して壁面に沿う方向の力を与えたときに、前記クッション体が前記壁本体よりも弱い力で変形する請求項６記載の排泄物収容製品。
【請求項８】
前記弾性壁の肌側に向く頂部は、壁本体の縁部が肌側に向かないように変形されて形成されている請求項１ないし５のいずれかに記載の排泄物収容製品。
【請求項９】
前記弾性壁が、前記袋体の開口部よりも肌側へ突出している請求項１ないし８のいずれかに記載の排泄物収容製品。
【請求項１０】
前記弾性壁で囲まれた領域に導液体が設けられている請求項１ないし９のいずれかに記載の排泄物収容製品。
【請求項１１】
前記導液体は繊維集合体である請求項１０記載の排泄物収容製品。
【請求項１２】
前記繊維集合体は、トウ（ＴＯＷ）から開繊された繊維の束である請求項１１記載の排泄物収容製品。
【請求項１３】
前記繊維集合体は、複数枚の不織布で形成されている請求項１１記載の排泄物収容製品。
【請求項１４】
前記導液体は、前記弾性壁の肌側に向く頂部よりも袋体の外方に向けて突出している請求項１０ないし１３のいずれかに記載の排泄物収容製品。
【発明の詳細な説明】
【技術分野】
【０００１】
本発明は、尿などの排泄物を袋体内に集めて吸収する排泄物収容製品に係り、特に袋体の開口部が身体に密着しやすく、袋体内に与えられる排泄物が開口部から溢れにくい排泄物収容製品に関する。
【背景技術】
【０００２】
排泄物収容製品は、下着や使い捨ておむつの内側に装着して老人や尿失禁患者が排泄した尿や大便を吸収するために使用され、あるいは排泄物収容製品は、それ自体が使い捨ておむつとして使用される。
【０００３】
従来の排泄物収容製品には、以下の特許文献１ないし３に記載のように、排泄物を吸収する袋体を有し、この袋体に開口部が形成されたものがある。この種の排泄物収容製品は、前記開口部の周縁部が身体に密着することが必要であり、前記周縁部と身体との間に隙間が形成されると、排泄物が袋体の内部に効果的に入り込まず外部に洩れやすくなる。
【０００４】
特許文献１に記載のものは、幼児用または失禁者用のおしめであり、トップシートとバックシートとで袋状に形成されてその内部に吸収コアが設けられている。前記トップシートには開口部が形成されており、トップシートの内側において前記トップシートの周囲にスペーサが配置されている。前記スペーサは、外側カバーの内部に、非吸収性の球形状のポリマーが充填されて形成されている。このスペーサが外部の力に対して塑性変形することにより、開口部の周縁部を身体の肛門周辺に密着させやすくするというものである。
【０００５】
特許文献２に記載のものは、水溶性の紙おむつである内側おむつと外側おむつとが重ねられて、両おむつがその周囲で止着されている。内側おむつに開口部が形成されており、この開口部の周囲に厚紙で形成された補強材が設けられており、この補強材を肛門の周囲に密着させるというものである。
【０００６】
特許文献３に記載のものは、開口部を有する袋体の内部に液吸収体が納められているものであり、前記開口部周辺に弾性材が設けられている。この弾性材は、開口部を塞ぐように弾性力を発揮し、男性器が開口部に挿入された状態で、この男性器を弾性材で挟み込んで、男性器を開口部から外れにくくするというものである。
【特許文献１】特許第３２９８６４３号
【特許文献２】特願平９−５８６１９号
【特許文献３】特開２０００−１３５２３５号
【発明の開示】
【発明が解決しようとする課題】
【０００７】
前記のように従来の排泄物収容製品は、袋体の開口部の周縁部にスペーサなどを配置することで、開口部の周縁部を身体に密着させようとしている。しかし、この種の排泄物収容製品は身体に密着して使用される状態で袋体が潰れやすいために、袋体内に尿や大便などの排泄物が入り込みにくく、排泄物が外部に洩れやすくなっている。
【０００８】
また、前記各特許文献に記載のスペーサ、厚紙、弾性材はいずれも柔軟に変形しにくいものであるため、これらを介して開口部の周縁部を身体に確実に密着させるのには限界がある。
【０００９】
本発明は前記従来の課題を解決するものであり、袋体の開口部の周縁部が身体に密着しやすく、また袋体内に排泄物を受ける空間を形成しやすい排泄物収容製品を提供することを目的としている。
【課題を解決するための手段】
【００１０】
本発明は、開口部を有する袋体と、前記袋体の内部に設置された液吸収体とを有する排泄物収容製品において、
前記開口部の周縁部から袋体の内方に向かって延びる弾性変形可能な弾性壁が設けられていることを特徴とするものである。
【００１１】
この排泄物収容製品は、前記弾性壁が、開口部の周縁部から袋体の内部に向けて延びているため、身体に装着されたときに、前記弾性壁の弾性力によって、袋体の開口部の周縁部、あるいは弾性壁の肌側に向く頂部が身体の排泄部周囲に密着しやすい。また、前記弾性壁により、開口部の奥側において袋体の内部に空間が保たれるため、排泄部から排泄された尿や大便などの排泄部が、袋体内に確実に収容されるようになる。
【００１２】
本発明では、前記弾性壁は、その縦方向および横方向の開き寸法が、袋体の内部に向うにしたがって徐々に広くなる形状であることが好ましい。
【００１３】
弾性壁が袋体の内部に向かうにしたがってその間隔が広がる形状であるため、排泄物が袋体内に収容されやすくなる。また身体から圧力を受けたときに弾性壁が撓み変形しやすくなり、身体へ過剰な圧迫感を与えることがなくなる。
【００１４】
また、本発明は、前記弾性壁の肌側に向く頂部は、縦方向の開口寸法が横方向の開口寸法よりも大きい縦長形状であり、前記頂部の縦方向に向く前端部と後端部が、その中間部よりも肌側に突出しているものである。
【００１５】
このように、弾性壁の肌側に向く頂部が縦長であり且つ前後端部が中間部よりも持ち上がった湾曲形状であると、袋体の開口部、あるいは前記頂部が身体の前後方向の形状に沿って密着しやすくなり、排泄物が袋体内に確実に捕捉されて外部への洩れが生じにくくなる。
【００１６】
また、前記袋体は、前記弾性壁に対向する対向底部を有しており、前記中間部での対向底部からの高さ寸法が、前記前後端部での対向底部からの高さ寸法の０．８倍以下で０．２倍以上である。
【００１７】
さらに、前記高さ寸法の最小値は１０ｍｍであり、最大値は１００ｍｍであることが好ましい。
【００１８】
弾性壁の肌側に向く頂部が前記構造であると、袋体の開口部、または弾性壁の前記頂部が身体の排泄部の周囲の前後方向に沿って常に密着しやすくなる。
【００１９】
また、本発明では、好ましくは、前記弾性壁の肌側に向く頂部がクッション体により形成されている。
【００２０】
前記クッション体は、例えば繊維集合体がシートで包まれるなどして形成されており、前記クッション体に力を与え、また前記弾性壁の壁本体に対して壁面に沿う方向の力を与えたときに、前記クッション体が前記壁本体よりも弱い力で変形するものである。
【００２１】
このようにクッション体を設けておくと、弾性壁の頂部が身体に直接に接触しても、その接触感触が柔らかく、装着感が良好になる。
【００２２】
また、本発明は、前記弾性壁の肌側に向く頂部は、壁本体の縁部が肌側に向かないように変形されて形成されているものであってもよい。
【００２３】
弾性壁の肌側に向く頂部が前記のように変形していると、壁本体の縁部が肌に抵抗感を与えなくなる。
【００２４】
本発明は、前記弾性壁が、前記袋体の開口部よりも肌側へ突出し、弾性壁の頂部が肌に当たる構造であってもよいし、前記頂部が袋体の開口部よりも袋体の内部に位置しているものであってもよい。
【００２５】
さらに本発明では、前記弾性壁で囲まれた領域に導液体が設けられているものとして構成できる。
【００２６】
前記導液体は繊維集合体であり、例えば前記繊維集合体は、トウ（ＴＯＷ）から開繊された繊維の束、あるいは前記繊維集合体は、複数枚の不織布で形成されている。
【００２７】
また、前記導液体は、前記弾性壁の肌側に向く頂部よりも袋体の外方に向けて突出していることが好ましい。
【００２８】
前記導液体が設けられていると、この導液体が排泄部に密着し、尿がこの排泄部を透して袋体内に確実に収容されるようになる。
【発明の効果】
【００２９】
本発明は、袋体の開口部の周縁部、あるいは弾性壁の肌側に向く頂部が身体の排泄部の周囲に密着しやすくなる。また弾性壁によって袋体内に空間が確保されやすいため、排泄物が袋体内に収容されやすくなり、外部への洩れが生じにくくなる。
【発明を実施するための最良の形態】
【００３０】
図１は本発明の第１の実施の形態の排泄物収容製品を示す斜視図、図２は図１のＩＩ−ＩＩ線の断面図、図３は排泄物収容製品を身体の股間部に装着した状態を示す説明図、図４は排泄物収容製品が身体の股間部に装着された状態を示す図３のＩＶ−ＩＶ線の横断面図、図５と図６は弾性壁の壁本体およびクッション体の構造を示す断面図、図７と図８は、弾性壁のクッション体の構造を示す斜視図である。
【００３１】
この実施の形態の排泄物収容製品１は、収容口７を女性の尿排泄部に対向させて使用する女性用の尿吸収パッドとして使用するのに適したものである。しかし、本発明の排泄物収容製品は、収容口７に男性器を挿入して装着する男性用の尿吸収パッドや、収容口７を肛門に対向させて大便を収容するものとしても使用することもできる。
【００３２】
図１に示すように、排泄物収容製品１は、横方向（Ｘ方向）の幅寸法よりも縦方向（Ｙ方向）の長さ寸法の方が大きい縦長の長方形状である。
【００３３】
前記排泄物収容製品１は、内部に排泄物を収容する空間を有する袋体２を有している。この袋体２は、外装シート３で形成されている。外装シート３は撥水性または疎水性で液不透過性である。この実施の形態では、前記袋体２が１枚の外装シート３で形成されている。
【００３４】
図１に示すように、前記外装シート３は、縦方向（Ｙ方向）に延びる右縁部３ａと左縁部３ｂとが互い違いとなるように重ねられて互いに接合されて筒状体が形成されている。さらに、外装シート３の後縁部３ｃの内側において外装シート３が平坦状に重ねられて、横方向（Ｘ方向）に延びるシール線４で接合されている。また、外装シート３の前縁部３ｄの内側において外装シート３が平坦状に重ねられて、横方向（Ｘ方向）に延びるシール線で接合されている。また、図２に示すように、外装シート３は前方部分が袋体２の背面に向けて折られており、前記前縁部３ｄは袋体２の背面側に重ねられている。
【００３５】
前記のようにして形成された袋体２は、背面側に長方形状の対向底部５が形成され、表面側には肌対向部６が形成されている。そして、袋体２の肌対向部６には、前記対向底部５に対面する開口部が形成されている。この開口部は、前記外装シート３の開口縁部３ｅおよび開口縁部３ｆとで囲まれて形成されている。前記開口縁部３ｅは、外装シート３の右縁部３ａを凹状に切断することにより形成され、前記開口縁部３ｆは外装シート３の左縁部３ｂを凹状に切断することにより形成されている。
【００３６】
図２と図４に示すように、袋体２内では、前記対向底部５の内側に液吸収体８が設けられている。この液吸収体８は長方形状であり、前記対向底部５の内側において外装シート３に接着されて固定されている。
【００３７】
図１と図２に示すように、前記開口縁部３ｅ，３ｆから袋体２の内部に向けて弾性壁１１１が設けられている。この弾性壁１１１は、開口縁部３ｅ，３ｆで形成される開口部の全周にわたって設けられている。ただし、本発明は、前記弾性壁１１１が、開口部の周囲全周に設けられているものに限られるものではなく、弾性壁１１１が開口部の周囲の一部に設けられているものであってもよい。また、前記弾性壁１１１は開口部の周囲長の６０％以上に設けられていることが好ましい。
【００３８】
前記弾性壁１１１は、壁本体１１と、この壁本体１１の上縁部１１ａに取付けられたクッション体１５とから構成されている。図２に示すように、前記壁本体１１の上縁部１１ａは、前記開口縁部３ｅ，３ｆよりも前記対向底部５に近い袋体２の内方に位置しており、弾性壁１１１の下縁部である壁本体１１の裾部１１ｂは、対向底部５の内面に直近する位置に設けられている。
【００３９】
前記上縁部１１ａの縦方向（Ｙ方向）での開口寸法よりも、前記裾部１１ｂの縦方向（Ｙ方向）での間隔の方が広く、前記上縁部１１ａの横方向（Ｘ方向）での開口寸法よりも、前記裾部１１ｂでの横方向（Ｘ方向）の間隔の方が広くなっている。すなわち、前記弾性壁１１１は、開口縁部３ｅ，３ｆから対向底部５に向かうにしたがって内部空間が徐々に広がるようなテーパ形状である。
【００４０】
前記収容口７は、前記クッション体１５で囲まれて形成されている。そしてクッション体１５の上面が弾性壁１１１の頂部１１１ａとなっている。
【００４１】
図２に示すように、このクッション体１５は、クッション材１６とこのクッション材１６を包むシート１７とで形成されている。前記シート１７はクッション材１６を包み、その内側縁部１７ａと外側縁部１７ｂが、前記壁本体１１の内面および外面に接着されている。
【００４２】
前記クッション体１５は断面がほぼ円形であり、壁本体１１の上縁部１１ａの全周に沿って且つ収容口７の周縁部の全周に沿って配置されている。そして、前記外装シート３の開口縁部３ｅと開口縁部３ｆは、前記クッション体１５の外周面に位置し、外装シート３がクッション体１５に接着固定されている。また、前記外装シート３が壁本体１１の外面に接着されていてもよく、また外装シート３がクッション体１５の外周面と壁本体１１の外面の双方に接着されていてもよい。
【００４３】
前記開口縁部３ｅ，３ｆで囲まれた前記開口部ならびに前記クッション体１５で囲まれた前記収容口７は、共に縦方向（Ｙ方向）の開口寸法が、横方向（Ｘ方向）の開口寸法よりも大きい縦長形状である。
【００４４】
図２に示すように、収容口７の前端部７ａにおいて、対向底部５の内面からクッション体１５の頂部すなわち弾性壁１１１の頂部１１１ａの前端部までの垂直方向（対向底部５の内面に対する垂直方向）の高さ寸法をＨ１、収容口７の周縁部の後端部７ｂにおける同様の高さ寸法をＨ２、収容口７の前後方向の中間部（中央部）７ｃにおける同様の高さ寸法をＨ３とする。
【００４５】
前記高さＨ３は、前記高さ寸法Ｈ１および前記高さ寸法Ｈ２よりも小さい。その結果、収容口７の周縁部に位置している前記クッション体１５すなわち弾性壁１１１の頂部１１１ａは、前記前端部７ａと後端部７ｂが肌側に隆起し、中間部７ｃが対向底部５側に向けて下がっており、クッション体１５は縦方向に向けて凹状に湾曲している。
【００４６】
前記中間部７ｃでの前記高さ寸法Ｈ３の最小値は１０ｍｍであり、好ましくは１５ｍｍである。また前端部７ａと後端部７ｂでの高さ寸法Ｈ１とＨ２の最大値は１００ｍｍであり、好ましくは８０ｍｍ、さらに好ましくは６０ｍｍである。すなわち、対向底部５の内面からクッション体１５の上面すなわち弾性壁１１１の頂部１１１ａまでの高さ寸法は、１０〜１００ｍｍであり、好ましくは１０〜８０ｍｍで、さらに好ましくは１０〜６０ｍｍである。
【００４７】
また、前記高さ寸法Ｈ３は、高さ寸法Ｈ１および高さ寸法Ｈ２に対して０．８倍以下であり０．２倍以上である。
【００４８】
図５は、図１に示す縦方向中心線Ｏｙにおいて前記壁本体１１およびクッション体１５を切断した断面図である。
【００４９】
前記壁本体１１は、その壁面に沿う方向の座屈荷重が作用したときに、図４に示すように容易に曲げ変形し、且つ前記荷重を除去したときに元の形に弾性復元しやすいものであり、ウレタン系、オレフィン系、スチレン系などの発泡樹脂材料、紙材料、比較的厚い不織布、または複数枚の不織布が積層されて接着されたものなどで形成されている。また前記壁本体１１は、表面に撥水剤が塗工されたものが好ましく使用される。
【００５０】
図５に示すように、壁本体１１の裾部１１ｂは、水平方向へほぼ直線的に延びており、壁本体１１の上縁部１１ａは前後端部よりも中間部が窪んだ凹形状である。すなわち、収容口７の前端部７ａでの壁本体１１の対向底部５から垂直方向での高さ寸法をＨａ、後端部７ｂでの前記高さ寸法をＨｂ、中間部７ｃでの前記高さ寸法をＨｃとしてときに、高さ寸法Ｈｃは、高さ寸法Ｈａおよび高さ寸法Ｈｂよりも低く、Ｈｃは、ＨａまたはＨｂの０．８倍以下で０．２倍以上である。その結果、図１に示すように、収容口７の周縁部で前記クッション体１５が縦方向に向けて凹状に湾曲した形状となる。
【００５１】
図３に示すように、この排泄物収容製品１を身体の股間部２１に設置し、袋体２を股間部２１の前後方向への湾曲形状に添わせたときに、袋体２の対向底部５が下着２５からの圧迫力を受ける。前記壁本体１１の裾部１１ｂは水平方向に直線的に延びているため、前記圧迫力によって、前記裾部１１ｂの前端部に図５に示す押圧力Ｆが作用し、この押圧力Ｆによって、壁本体１１が変形し、クッション体１５が縦方向に向けて大きく凹状に湾曲変形する。そのため、収容口７の周縁部に位置するクッション体１５が股間部２１の突曲面に沿って前後方向に沿って密着しやすくなる。
【００５２】
また、弾性壁は図６に示す形状であってもよい。図６に示す弾性壁１１１Ａでは、壁本体１１Ａの上縁部１１ａが水平方向に向けて直線的に延びており、壁本体１１Ａの裾部１１ｂは、縦方向の前後端部よりも中間部が上縁部１１ａに向けて窪む形状である。その結果、収容口７の前端部７ａにおける壁本体１１Ａの垂直方向の高さ寸法Ｈｄおよび後端部７ｂでの高さ寸法Ｈｅよりも、中間部７ｃでの高さ寸法Ｈｆが低くなっている。高さ寸法Ｈｆは、ＨｄまたはＨｅに対して０．８倍以下で０．２倍以上である。
【００５３】
図６に示す弾性壁１１１Ａを使用した排泄物収容製品は、袋体２に外力を与えていない図１に示すような自然状態のときに、収容口７の周縁部に位置するクッションタイ１５が対向底部５とほぼ平行である。しかし、図３に示すように排泄物収容製品を身体の股間部に設置し、下着２５からの圧迫力を受けると、この圧迫力により、図６に示すように、壁本体１１の裾部１１ｂでの前端部と後端部に対して上向きの力Ｆが作用する。そして、壁本体１１が変形して、収容口７の周縁部は、前端部７ａおよび後端部７ｂよりも中間部７ｃが対向底部５に向くような凹形状となって、収容口７の周縁に位置するクッション体１５が身体の股間部の形状に添いやすくなる。
【００５４】
図７は、前記クッション体１５の構造を例示した斜視図である。
前記クッション体１５に力を与え、また壁本体１１に対してその壁面に沿う方向の力（座屈荷重）を与えたときに、クッション体１５を圧縮変形させる力が、壁本体１１を湾曲変形させる力よりも弱くなるように設定されている。すなわち、壁本体１１は収容口７の周縁部の形状を保ち、また収容口７の周縁部を股間部に圧接させ、さらに収容口７の奥側に空間を形成するように機能しているのに対し、前記クッション体１５は、収容口７の周縁部を身体の股間部２１に柔らかく接触させるように機能している。
【００５５】
図７に示すクッション体１５は、壁本体１１と別体のものであり、クッション材１６は、トウ（ＴＯＷ）から開繊された繊維の束である。繊維は、ポリエチレン（ＰＥ）樹脂、ポリプロピレン（ＰＰ）樹脂、ポリエチレンテレフタレート（ＰＥＴ）樹脂などで形成されたもの、あるいは前記樹脂を組み合わせた複合合成繊維であり、繊度は１．１〜１１ｄｔｅｘ程度である。トウから開繊された繊維は、互いに接着されていないが、個々の繊維が倦縮繊維であり、繊維どうしが絡み合って束としての形状を保てるようになっている。
【００５６】
前記クッション材１６は個々の繊維が収容口７の周縁部に沿って途切れることなく連続して延びており、前記繊維の束はシート１７により包まれ、このシート１７の内側縁部１７ａと外側縁部１７ｂが壁本体１１の内面と外面に接着されている。前記シート１７は、前記各種樹脂で形成された合成樹脂繊維を熱風で融着させたエアースルー不織布、各種合成樹脂繊維で形成されたスパンボンド不織布やメルトブローン不織布、あるいは樹脂フィルムである。シート１７は、疎水性で液不透過性であり、好ましくは表面に撥水剤が塗布されて撥水処理されたものが使用される。
【００５７】
トウから開繊された繊維束は、倦縮されて絡み合っているため上方からの力ｆが与えられると弾性収縮できる。
【００５８】
図８は、クッション体１５Ａが、壁本体１１Ｂと一体に形成された例を示している。壁本体１１Ｂは発泡樹脂材料や、複数の不織布が重ねられて接着されたものである。壁本体１１Ｂは、発泡樹脂材料などのシートが上縁部において２つに折り畳まれて形成されている。壁本体１１の上縁部に複数のスリット１８が形成されて、壁本体１１Ｂが細く裁断されたクッション材１６Ａが形成されている。そして、このクッション材１６Ａが束ねられて、シート１７で覆われている。
【００５９】
なお、前記クッション材は図７および図８に示すものに限られるものではなく、低密度のエアースルー不織布、発泡樹脂材料、発泡樹脂以外の軟質な樹脂材料である合成ゴムやウレタン樹脂、コットン、天然ゴムなどによって形成することが可能である。
【００６０】
また、袋体２を形成している外装シート３は、樹脂フィルムや、スパンボンド不織布、メルトブローン不織布、スパンボンド不織布とメルトブローン不織布とが積層された多層不織布などであり、疎水性で液不透過性である。また外装シート３は、少なくとも袋体２の外面が撥水処理されたものが好ましく使用される。
【００６１】
前記液吸収体８は、パルプをエアーレイド法で積層してバインダーで接合したエアーレイドパルプ、吸収性紙の積層体、あるいは液透過性シートで複数の袋体を形成し、個々の袋体の内部に高吸収性樹脂（ＳＡＰ）を封入したもの、あるいはこれら各吸収体を組み合わせたものである。
【００６２】
図３と図４は、女性の身体２０の股間部２１に前記排泄物収容製品１を設置した状態を示している。袋体２の前縁部３ｄが腹部側に向けられ、後縁部３ｃが臀部側に向けられ、女性の排尿部が収容口７に対向し、クッション体１５が股間部２１において排尿部の周囲に当てられる。
【００６３】
図１に示すように、収容口７の周縁部に位置するクッション体１５は、前端部７ａと後端面７ｂにおいて肌側に向くように、クッション体１５が縦方向に向けて凹状に湾曲しているため、クッション体１５が股間部２１の表面形状に沿うようになる。図３に示すように、前記排泄物収容製品１の外側に、下着２５（または使い捨ておむつ）を着用すると、この下着２５によって排泄物収容製品１が股間部２１に押し付けられる。この圧力により、クッション体１５は、図５または図６において破線で示すように、さらに縦方向に向けて凹形状に湾曲させられる。よってクッション体１５が股間部において、排泄部の周囲と隙間を形成しないように密着しやすくなる。
【００６４】
図４に示すように、クッション体１５は弾性収縮して股間部２１に当たり、また壁本体１１が自由に曲げ変形できるため、クッション体１５が股間部２１において排泄部の周囲に確実に密着できるようになる。また、クッション体１５は軟質で圧縮力に対して弾性変形でき、壁本体１１もその面が湾曲するように弾性変形できるため、股間部２１の肌への当たりが柔らかい。
【００６５】
図４に示すように、前記壁本体１１は、開口縁部３ｅ，３ｆから袋体２の内部に向けて延びており、袋体２の対向底部５からクッション体１５の頂部までの高さが１０ｍｍ以上であるため、収容口７の奥側において、袋体２が完全に潰れることがなく、収容口７の内方において袋体２内に空間が確保される。よって尿が排泄されたときに、尿が収容口７内を確実に通過して袋体２の内部に入り込み、袋体２内の液吸収体８で確実に吸収されるようになる。尿が、収容口７の奥側の空間に与えられてから液吸収体８で吸収されることにより、尿が収容口７から外部へ溢れ出ることが生じにくい。
【００６６】
図９は本発明の第２の実施の形態の排泄物収容製品１００を示すものであり、図４に示すのと同じ切断面で切断した横断面図である。
【００６７】
この排泄物収容製品１００の袋体１０２は、前記外装シート３と同じ材質の上側外装シート１０３ａと下側外装シート１０３ｂで形成されている。上側外装シート１０３ａと下側外装シート１０３ｂは、共に平面の形状が、長方形、長円形などであり、周縁部の固着部１０４において上側外装シート１０３ａと下側外装シート１０３ｂとが接着されている。
【００６８】
前記下側外装シート１０３ｂは対向底部５を形成し、その内側に液吸収体８が設けられている。肌対向部６では、上側外装シート１０３ａの開口縁部１０３ｃに囲まれた開口部が形成されている。
【００６９】
弾性壁１１１Ｂは、その全体が前記壁本体１１と同じ材質で形成されており、裾部１１ｂが液吸収体８に接近して位置し、肌側に向く頂部１１１ａが袋体１０２の開口部よりも肌側に突出した位置にある。そして、前記開口縁部１０３ｃの部分で上側外装シート１０３ａが前記弾性壁１１１Ｂの外面に接着されている。
【００７０】
前記弾性壁１１１Ｂは、袋体１０２の内部に向かって開口寸法が徐々に大きくなるようにテーパ形状に形成された壁本体１１Ｄと、頂部１１１ａにおいて壁本体１１Ｄの一部が変形させられた変形部１１Ｅを有している。前記変形部１１Ｅは断面が円形または長円形となるように曲げられており、壁本体１１Ｄの縁部１１ｅが肌側に向かないようになっている。前記変形部１１Ｅで囲まれた部分が収容口７である。
【００７１】
この排泄物収容製品１００では、弾性壁１１１Ｂが、袋体１０２の開口部から肌側に向けて比較的長く突出しており、前記変形部１１Ｅが身体の排泄部の周辺に当たるようになっている。そして弾性壁１１１Ｂの比較的柔らかい弾性変形により変形部１１Ｅが肌に密着しやすいようになっている。
【００７２】
なお、前記変形部１１Ｅにおいて壁本体１１Ｄを形成する材料を薄肉にして、変形部１１Ｅがクッション体として機能できるようにしてもよい。
【００７３】
図１０（Ａ）（Ｂ）は、図９に示す弾性壁１１１Ｂの変形例を示す断面図である。
図１０（Ａ）に示す弾性壁１１１Ｂでは、壁本体１１Ｄの頂部１１１ａにおいて、壁本体１１Ｄの一部が断面矩形状に折り曲げられて変形部１１Ｆが形成され、図１０（Ｂ）に示す弾性壁１１Ｂでは、壁本体１１Ｄの頂部１１１ａにおいて、壁本体１１Ｄの一部が断面Ｔ字形状に成形されて変形部１１Ｇが形成されている。
【００７４】
図１１は本発明の第３の実施の形態の排泄物収容製品１０１を示すものであり、袋体２と導液体３０とを分離して示した分解斜視図である。図１２は、導液体３０が袋体２内に収納された状態を示すＸ−Ｘ線の断面図、図１３は導液体３０が袋体２の内部に収納されて股間部２１に装着された状態を示す図４と同じ断面図である。
【００７５】
この排泄物収容製品１０１の袋体２は、図１に示した第１の実施の形態と同じ構造で同じ形状である。
【００７６】
前記袋体２の内部には、導液体３０が収納される。導液体３０は、親水性でその内部に多数の空隙を有するものであり、内部で尿を導くことができる構造である。図１１に示すように、導液体３０は、隆起部３１と、この隆起部３１の裾部に連続する平坦部３２を有している。図１２と図１３に示すように、袋体２内に導液体３０が収納されると、導液体３０の下面３２ａが液吸収体８に接触し、隆起部３１が前記収容口７の奥側において、弾性壁１１１で囲まれた空間内に配置される。また、前記平坦部３２が、袋体２内において、壁本体１１の裾部１１ｂよりもさらに後方に向かって延びている。
【００７７】
前記隆起部３１は、上面３１ａが突曲面形状で、隆起部３１の周囲は前記上面３１ａから下面３２ａに向けて徐々に広がるテーパ形状である。導液体３０が袋体２の内部に収納された状態で、前記上面３１ａは、収容口７内から外部に露出する。前記上面３１ａは、少なくとも収容口７の周縁部の前記中間部７ｃにおいて弾性壁１１１の頂部１１１ａ（クッション体１５の上面）よりも外方へ向けて突出しており、さらに好ましくは、収容口７の周縁部の前端部７ａおよび後端部７ｂにおいても前記頂部１１１ａよりもさらに外部に突出している。
【００７８】
図１３に示すように、この排泄物収容製品１０１が女性の股間部２１に設置されると、収容口７から突出する前記導液体３０が排泄部および女性器周辺に密着する。前記導液体３０は排泄された尿を袋体２の内部に導くように機能するとともに、収容口７の奥側において袋体２の内部に空間を保つように機能する。排泄された尿は、導液体３０の内部空間を浸透して速やかに袋体２の内部に導かれて液吸収体８により吸収される。導液体３０が股間部２１に密着された状態で、さらにその外周に位置するクッション体１５が股間部２１に密着するため、尿を確実に袋体２内に確実に収容でき外部に洩れ出にくい。
【００７９】
図１１ないし図１３に示す実施の形態では、前記導液体３０がトウ（ＴＯＷ）から開繊された繊維の束で形成されている。この繊維は、ポリエチレン（ＰＥ）樹脂、ポリプロピレン（ＰＰ）樹脂、ポリエチレンテレフタレート（ＰＥＴ）樹脂などで形成されたもの、あるいは前記樹脂を組み合わせた複合合成繊維であり、繊度は１．１〜１１ｄｔｅｘ程度である。前記繊維は、表面に界面活性剤を塗工し、または内部に界面活性剤を塗り込んで親水処理されたものが使用される。
【００８０】
トウから開繊された繊維は途切れることなく連続して延びており、繊維は互いに接着されていない。しかし個々の繊維が倦縮繊維であるため、繊維どうしが絡み合って導液体３０の形状を保てるようになっている。
【００８１】
図の実施の形態では、前記トウから開繊する際に、繊維の束を幅方向に拡開して、所定の厚みで所定の幅のシート状の繊維の束を形成し、この繊維の束を切断したものを垂直方向（Ｚ方向）に複数層に重ねることにより、導液体３０が形成されている。よって、この導液体３０では、個々の繊維は縦方向（Ｙ方向）に延びている。繊維の束では、倦縮された繊維間に、尿を導く多数の空隙が形成されている。
【００８２】
図１４（Ａ）（Ｂ）は、他の実施の形態による導液体４０およびその製造工程を示す斜視図である。
【００８３】
図１４（Ａ）に示すように、親水性で内部に空隙を有する透水性シート４１が複数枚重ねられる。この透水性シート４１は、前記のようにトウから開繊されて一定の厚みとなるように拡幅された繊維の束である。あるいは、パルプの積層体や、親水処理された合成樹脂繊維で形成されたエアースルー不織布であってもよい。透水性シート４１を複数枚重ねたものを折り曲げることにより、図１４（Ｂ）に示す導液体４０が形成される。
【００８４】
この導液体４０は、各透水性シート４１のシート表面が、対向底部５から収容口７に向けて立ち上がるようになり、透水性シート４１が繊維の束で形成されている場合には、それぞれの繊維が対向底部５から収容口７に向けてほぼ垂直に延びている。したがって、多量の尿が短時間で排泄されたときに、その尿を対向底部５の内側に位置する液吸収体８に向けて導きやすくなる。
【００８５】
図１５（Ａ）（Ｂ）は、さらに他の実施の形態による導液体５０およびその製造工程を示す斜視図である。
【００８６】
図１５（Ａ）に示す透水性シート５１は、図１４（Ａ）に示した透水性シート１４と同じものである。ただし、透水性シート５１は、１枚または複数枚重ねた状態で台形（あるいは三角形）、すなわち長辺５１ａから短辺５１ｂに向けて幅寸法が徐々に小さくなるように切断されている。
【００８７】
図１５（Ｂ）に示すように、前記透水性シート５１を前記辺５１ａ，５１ｂと平行な折り線Ｌ１，Ｌ２，Ｌ３，Ｌ４によって順次に互い違いに折り畳んで、図１５（Ｂ）に示す折畳み体５２を形成する。この折畳み体５２を曲げると、図１５（Ｃ）に示す導液体５０が形成される。この導液体５０は、長辺５１ａ側が太く短辺５１ｂに向けて徐々に細くなるテーパ形状となる。よって、袋体２内において壁本体１１で囲まれた空間の形状に一致しやすくなる。この導液体５０もシート面および繊維の向きが垂直であり、尿を液吸収体８に導きやすくなる。
【００８８】
図１６は、導液体のさらに他の実施の形態を示すものである。
図１６（Ａ）に示す導液体７０は、図１１に示したようにトウから開繊された繊維の束で形成されたものであるが、収容口７から突出する上面７１ａから下面７２ａにかけて、窪み７１が形成されている。この窪み７１は、縦方向（Ｙ方向）に延びている。また窪み７１の深さは下面７２ａへの途中までであってもよいし、下面７２ａに達していてもよい。
【００８９】
例えば繊維の束で形成された導液体７０において、前記窪み７１が形成されていることにより、尿を前記窪み７１に導いて液吸収体８に移行させやすくなる。
【００９０】
図１６（Ｂ）に示す導液体８０Ａと、図１６（Ｃ）に示す導液体８０Ｂは、共に透水性シート８１で形成されている。この透水性シート８１は、前記透水性シート１４と同じものである。導液体８０Ａ，８０Ｂは、前記透水性シート８１のシート面を垂直に向けて、透水性シート８１をＸ方向やＹ方向に重ねることにより形成されている。
【００９１】
この導液体８０Ａ，８０Ｂも、シート面と繊維が垂直方向に向けられているため、短時間に多量の尿が与えられたときに液吸収体８に導きやすい。
【図面の簡単な説明】
【００９２】
【図１】本発明の第１の実施の形態の排泄物収容製品を示す斜視図、
【図２】図１に示す排泄物収容製品をＩＩ−ＩＩ線で切断した断面図、
【図３】前記排泄物収容製品が股間部に装着された状態を示す説明図、
【図４】前記排泄物収容製品が股間部に装着された状態を示す図３のＩＶ−ＩＶ線の横断面図、
【図５】第１の実施の形態の排泄物収容製品に設けられた弾性壁およびクッション体を示す中央断面図、
【図６】弾性壁およびクッション体の他の例を示す中央断面図、
【図７】クッション体の構造を示す一部断面を含む斜視図、
【図８】クッション体の他の構造を示す分解斜視図、
【図９】本発明の第２の実施の形態の排泄物収容製品を示すものであり、図４と同じ横断面図、
【図１０】（Ａ）（Ｂ）は第２の実施の形態の弾性壁の変形例を示す断面図、
【図１１】本発明の第３の実施の形態の排泄物収容製品を示すものであり、袋体と導液体とを別々に示す斜視図、
【図１２】前記袋体内に導液体が収納された状態を示す図１１のＸ−Ｘ線の断面図、
【図１３】前記袋体内に導液体が収納された排泄物収容製品が股間部に設置された状態を示す図４と同じ断面図、
【図１４】（Ａ）（Ｂ）は他の実施の形態の導液体とその製造工程を示す斜視図、
【図１５】（Ａ）（Ｂ）（Ｃ）は他の実施の形態の導液体とその製造工程を示す斜視図、
【図１６】（Ａ）（Ｂ）（Ｃ）はさらに他の実施の形態の導液体を示す説明図、
【符号の説明】
【００９３】
１  排泄物収容製品
２  袋体
３  外装シート
５  対向底部
６  肌対向部
７  収容口
８  液吸収体
１１，１１Ａ，１１Ｂ，１１Ｄ  壁本体
１１Ｅ，１１Ｆ，１１Ｇ  変形部
１１ａ  上縁部
１１ｂ  裾部
１１ｅ  縁部
１５  クッション体
１６  クッション材
１７  シート
３０，４０，５０，７０，８０Ａ，８０Ｂ  導液体
１００，１０１  排泄物収容製品
１１１，１１１Ａ，１１１Ｂ  弾性壁
１１１ａ  頂部
１０２  袋体
１０３ａ  上側外装シート
１０３ｂ  下側外装シート
【図１】
2005160834.tif 000003
【図２】
2005160834.tif 000004
【図３】
2005160834.tif 000005
【図４】
2005160834.tif 000006
【図５】
2005160834.tif 000007
【図６】
2005160834.tif 000008
【図７】
2005160834.tif 000009
【図８】
2005160834.tif 000010
【図９】
2005160834.tif 000011
【図１０】
2005160834.tif 000012
【図１１】
2005160834.tif 000013
【図１２】
2005160834.tif 000014
【図１３】
2005160834.tif 000015
【図１４】
2005160834.tif 000016
【図１５】
2005160834.tif 000017
【図１６】
2005160834.tif 000018